(57)【要約】【課題】ファンの回転速度を速めずともダクトのスリットから吹き出る乾燥風の風速を上げること。【解決手段】乾燥装置１１は、印画紙９９の幅方向に沿って配置されたダクト２２を具備する。ダクト２２の右側面は、エア導入口２４ａとして開口している。ダクト２２の上面２３は印画紙９９に対向しており、上面２３には貫通孔が形成されている。ダクト２２の右側面には、ケース４１ｂに設けられた吹き出し口４１ａからエア導入口２４ａに向けて送風するファン４１が接続されている。ファン４１の送風方向Ａとダクト２２の上面２３との成す角度をθとすると、角度θが０°を越え９０°未満となるよう更に望ましくは角度θが１０°以上５０°以下になるよう、ファン４１がダクト２２に取り付けられている。【選択図】図２
2005338248.tif 000002
【特許請求の範囲】
【請求項１】
現像処理された感光性記録媒体に対向するよう前記感光性記録媒体の幅方向に沿って配置され、内から外に通じた貫通孔が前記感光性記録媒体に対向した対向面に設けられ、前記感光性記録媒体の幅方向一方側の面で開口したダクトと、
前記ダクトの開口を通じて前記ダクト内に向けて送風するファンと、を備え、
前記ファンの送風方向が前記対向面に対して鋭角を成していることを特徴とする感光材料処理機の乾燥装置。
【請求項２】
前記ファンが、前記ダクトの開口に相対する位置に配置され、前記ダクトの開口に向き合った吹き出し口を有したケースと、前記ケース内に収納されるとともに前記感光性記録媒体の搬送方向に平行な軸周りに回転する多翼羽根車と、を有し、
前記吹き出し口に沿って前記吹き出し口を規定した面に直交する前記ファンの送風方向が、前記対向面に対して鋭角を成していることを特徴とする請求項１に記載の感光材料処理機の乾燥装置。
【請求項３】
前記ファンの送風方向と前記対向面との成す角度が１０°以上５０°以下であることを特徴とする請求項１又は２に記載の感光材料処理機の乾燥装置。
【発明の詳細な説明】
【技術分野】
【０００１】
本発明は、感光性記録媒体に対して現像処理を施すことによって感光性記録媒体に画像を形成する感光材料処理機の乾燥装置であって、現像処理後に感光性記録媒体を乾燥させる乾燥装置に関する。
【背景技術】
【０００２】
銀塩フィルム上に形成された画像を入力してデジタル画像データに変換し、そのデジタル画像データに従って印画紙を露光し、印画紙に対して現像処理を施すことによって画像を印画紙に形成するデジタル写真処理装置が普及している。デジタル写真処理装置には、現像処理後に印画紙を乾燥させる乾燥装置が設けられている。
【０００３】
従来の乾燥装置においては、長手方向の一端が開口された筒状のダクトが現像処理された印画紙に対向するよう印画紙の幅方向に沿って配置され、このダクトには印画紙に対向した面において印画紙の幅方向に長尺なスリットが形成されている（特許文献１参照）。ダクトの開口部にはファンが接続されている。ファンは回転すると吹き出し口からダクトの開口に向けて送風し、ダクト内からスリットを通じて乾燥風が吹き出て、印画紙に乾燥風が当たる。これにより、印画紙が乾燥する。
【特許文献１】特開２０００−３５６８２号公報
【発明の開示】
【発明が解決しようとする課題】
【０００４】
印画紙を効率よく乾燥させることが望まれるが、そのためにはスリットから吹き出る乾燥風の風速を上げれば良い。スリットから吹き出る乾燥風の風速を上げるために、ファンの回転速度を上げることが考えられるが、ファンの回転速度を上げるにも限度がある。
そこで、本発明は、上記のような問題点を解決しようとしてなされたものであり、ファンの回転速度を上げずともダクトのスリットから吹き出る乾燥風の風速を上げることを目的とする。
【課題を解決するための手段】
【０００５】
上記課題を解決するために、請求項１に記載の感光材料処理機の乾燥装置は、現像処理された感光性記録媒体に対向するよう前記感光性記録媒体の幅方向に沿って配置され、内から外に通じた貫通孔が前記感光性記録媒体に対向した対向面に設けられ、前記感光性記録媒体の幅方向一方側の面で開口したダクトと、前記ダクトの開口を通じて前記ダクト内に向けて送風するファンと、を備え、前記ファンの送風方向が前記対向面に対して鋭角を成していることを特徴とする。
【０００６】
好ましくは、前記ファンが、前記ダクトの開口に相対する位置に配置され、前記ダクトの開口に向き合った吹き出し口を有したケースと、前記ケース内に収納されるとともに前記感光性記録媒体の搬送方向に平行な軸周りに回転する多翼羽根車と、を有し、前記吹き出し口に沿って前記吹き出し口を規定した面に直交する前記ファンの送風方向が、前記対向面に対して鋭角を成している。
【０００７】
好ましくは、前記ファンの送風方向と前記対向面との成す角度が１０°以上５０°以下である。
【０００８】
なお、貫通孔は感光性記録媒体の幅方向を長手方向とするスリット状の貫通孔であっても良い。複数の貫通孔を感光性記録媒体の幅方向に沿って配列させても良い。
【発明の効果】
【０００９】
本発明によれば、ファンの送風方向がダクトの対向面に対して鋭角を成すよう角度を付けた状態であるので、ファンの回転速度を上げずともダクトの貫通孔から吹き出る乾燥風の風速を上げることができる。
【発明を実施するための最良の形態】
【００１０】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１１】
図１は、本発明を適用した実施形態における自動写真処理装置１の斜視図である。
自動写真処理装置１は、画像をデジタルデータとして入力する画像入力装置２，３と、画像入力装置２，３から入力したデジタル画像データに対して種々の画像処理を行うホストコンピュータ４と、ホストコンピュータ４から入力したデジタル画像データに従った画像を感光性記録媒体に形成する感光材料処理機５と、を備える。
【００１２】
画像入力装置２は、ネガフィルムやリバーサルフィルムといった透過原稿に記録された画像を光学的に読み取って、読み取った画像をデジタルデータに変換するフィルムスキャナである。
【００１３】
画像入力装置３は、プリント済みの印画紙といった反射原稿に記録された画像を光学的に読み取って、読み取った画像をデジタルデータに変換するフラットベッドスキャナである。
【００１４】
ホストコンピュータ４には、各種操作の入力を行うキーボード、マウスといった入力装置６と、画像入力装置２，３から入力したデジタル画像データに基づく画像表示やその画像の処理に要する表示を行う表示装置７とが併設されている。ホストコンピュータ４には、光ディスク等の記憶媒体からデジタル画像データを読み出したり、記憶媒体にデジタル画像を書き込んだりするドライブが内蔵又は外付けされている。
【００１５】
ホストコンピュータ４は、画像入力装置２，３、感光材料処理機５、入力装置６及び表示装置７の制御を行うものである。すなわち、ホストコンピュータ４は、画像入力装置２，３に画像入力動作を行わせる機能を有する。また、ホストコンピュータ４は、画像入力装置２，３や各種記録媒体からデジタル画像データを入力して記憶する機能を有する。また、ホストコンピュータ４は、入力したデジタル画像データに基づく画像を表示装置７に表示させたり、入力装置６の入力操作に従い或いはプログラムに基づいて表示画像に対して色補正やトリミング等の画像処理を行ったりする機能を有する。また、ホストコンピュータ４は、入力したデジタル画像データや画像処理したデジタル画像データを感光材料処理機５に出力し、画像形成を感光材料処理機５に行わせる機能を有する。
【００１６】
感光材料処理機５は、感光性記録媒体としてハロゲン化銀感光材料からなる印画紙を収納したマガジン部８と、マガジン部８から搬送されてきた印画紙を露光する露光処理部９と、露光処理部９から搬送されてきた印画紙に対して現像処理を行う現像処理部１０と、現像処理部１０から搬送されてきた印画紙を乾燥させる乾燥装置１１（図２に図示）と、乾燥装置１１から搬送されてきた印画紙を切断する切断部１２と、切断部１２によって切断された印画紙を受けるトレー部１３と、を備える。
【００１７】
また、感光材料処理機５は上流側外装フレーム１４と、この上流側外装フレーム１４よりも右側の下流に配設された下流側外装フレーム１５とを備え、露光処理部９は上流側外装フレーム１４内に内蔵されており、現像処理部１０、乾燥装置１１及び切断部１２は下流側外装フレーム１５内に内蔵されている。
【００１８】
上流側外装フレーム１４の外側であって上流側外装フレーム１４の左方には、設置台１６が床に載置された状態で取り付けられている。設置台１６上には、マガジン部８が載置されている。マガジン部８内には、印画紙がロール状に巻回された状態で収納されている。
【００１９】
上流側外装フレーム１４内には、互いに平行となって圧接した二本のローラからなるローラ対が配設されており、このようなローラ対が所定経路に沿って複数配列されている。ローラ対の二本のローラの間に印画紙が挟持された状態でローラがモータによって回転することによって、マガジン部８内の印画紙が上流側外装フレーム１４内に引き込まれて搬送されるようになっている。
【００２０】
上流側外装フレーム１４内に設置された露光処理部９は、印画紙の搬送方向に対して直交する方向に沿った線状に印画紙を露光することによって、印画紙に潜像を形成するように設けられている。露光処理部９によって使用される光の色は赤、緑、青である。
【００２１】
下流側外装フレーム１５内にもローラ対が複数配列されており、ローラ対のローラがモータによって回転することによって、露光処理部９を経由した印画紙が下流側外装フレーム１５内に引き込まれて搬送されるようになっている。
【００２２】
下流側外装フレーム１５内において、現像処理部１０は上流側外装フレーム１４寄り（左側）に設置され、乾燥装置１１は右側に設置されている。
【００２３】
現像処理部１０は、露光処理部９から搬送されてきた印画紙に現像処理を施すように設けられている。すなわち、現像処理部１０は発色現像液、漂白定着液、安定液をそれぞれ貯留した処理槽を備え、ローラ対によって搬送される印画紙がこれら処理槽内の液に順次浸漬されると、印画紙に露光された潜像が顕在化される。印画紙上の赤色の光で露光された部分はシアンに発色し、緑色の光で露光された部分はマゼンタに発色し、青色の光で露光された部分はイエローに発色する。
【００２４】
現像処理部１０で現像処理された印画紙は乾燥装置１１によって乾燥させられ、乾燥装置１１から搬送されてきた印画紙は切断部１２によって所定の大きさに切断され、切断部１２によってカットされた印画紙はトレー部１３に排出される。
【００２５】
乾燥装置１１は、図２のように設けられている。図２は、乾燥装置１１の一部破断正面図である。図２において、紙面に直交する方向が印画紙９９の搬送方向であり、紙面奥行き側が搬送方向下流側であり、紙面手前側が搬送方向上流側である。
【００２６】
乾燥装置１１は、内部空間を有する箱状に設けられた乾燥ボックス２１を具備する。ここで、図２において、乾燥ボックス２１は、印画紙９９の搬送方向に対して直角な面に沿って切断された状態で示されている。
【００２７】
乾燥ボックス２１には、現像処理部１０で現像処理された印画紙９９を乾燥ボックス２１内に取り込むための取込口と、乾燥ボックス２１内から外に印画紙９９を排出するための排出口と、が設けられている。また、乾燥ボックス２１内には、互いに平行となって圧接した二本のローラからなるローラ対が取込口から排出口にかけて複数配列されている。各ローラ対のローラの回転によって、印画紙９９が取込口から排出口へ搬送されるようになっている。
【００２８】
なお、乾燥ボックス２１内に複数組のローラ対が配列されている代わりに、ベルト搬送機構が乾燥ボックス２１内に配設されても良い。ベルト搬送機構は、取込口側において回転可能に支持された駆動ローラと、排出口側において回転可能に支持された従動ローラと、駆動ローラと従動ローラに架け渡されたメッシュ状の無端ベルト等とから構成され、駆動ローラによって無端ベルトを循環させることによって無端ベルトに張り付いた印画紙９９を取込口から排出口へ搬送するものである。
【００２９】
この乾燥装置１１は右側面で開口したダクト２２を乾燥ボックス２１内に備え、このダクト２２は印画紙９９の幅方向（図２の左右方向）に沿って配置されている。ここで、図２において、ダクト２２は、印画紙９９の搬送方向に対して直角な面に沿って切断された状態で示されている。
【００３０】
このダクト２２は中空を有した箱状に設けられており、特に直方体状に設けられている。ダクト２２の上面２３は印画紙９９に対向した面であり、この上面２３が印画紙９９に対してほぼ平行となるようダクト２２が配置されている。また上面２３の左に隣り合う左側面２５が印画紙９９の左脇において印画紙９９の搬送方向に平行となるよう、ダクト２２が配置されている。ダクト２２の下面２６は上面２３の反対側となる面であり、この下面２６も印画紙９９に対して平行に設けられている。ダクト２２の右側面はエア導入口２４ａとして開口している。
【００３１】
ダクト２２の上面２３には貫通孔が形成されている。図３（ａ）〜（ｂ）には、貫通孔の幾つかの例を説明するためにダクト２２の上面２３の平面図が示されている。図３（ａ）の場合のように、印画紙９９の幅方向に長尺なスリット状の貫通孔２３ａがダクト２２の上面２３に形成されていても良いし、図３（ｂ）のように、複数の小貫通孔２３ｂ，２３ｂ，…が印画紙９９の幅方向に沿って一列に配列されるようダクト２２の上面２３に形成されていても良いし、印画紙９９の搬送方向に長尺な複数のスリット状の貫通孔２３ｃ，２３ｃ，…が印画紙９９の幅方向に沿って一列に配列されるようダクト２２の上面２３に形成されていても良い。また、図３（ａ）のような貫通孔２３ａが印画紙９９の搬送方向に沿って一列又は複数列に配列されても良いし、図３（ｂ）に示すような貫通孔２３ｂ，２３ｂ，…の列が印画紙９９の搬送方向に沿って複数列あっても良いし（例えば、貫通孔２３ｂ，２３ｂ，…がマトリクス状に配列した状態）、図３（ｃ）に示すような貫通孔２３ｃ，２３ｃ，…の列が印画紙９９の搬送方向に沿って複数列あっても良いし、図３（ａ）〜（ｃ）が組み合わせられても良い。
【００３２】
図２に示すように、エア導入口２４ａにはファン４１が接続されている。ファン４１は、クロスフローファンといった貫流式ファンである。すなわち、ファン４１は、エア導入口２４ａに相対する位置に配置されるとともに、エア導入口２４ａに向き合った吹き出し口４１ａを有するケース４１ｂと、ケース４１ｂ内に収納されるとともに印画紙９９の搬送方向に平行な軸４１ｄ周りに回転する多翼羽根車４１ｃと、この多翼羽根車４１ｃを回転させるモータ（図示略）と、を備える。ここで、図２において多翼羽根車４１ｃの回転向きを矢印Ｒで示すが、図２の図示方向の場合には多翼羽根車４１ｃは時計回りに回転する。
【００３３】
ファン４１は、多翼羽根車４１ｃの回転により吹き出し口４１ａからエア導入口２４ａを通じてダクト２２内に向けて送風するものであるが、ダクト２２の上面２３から離れるよう斜め下に向けて送風する。すなわち、ダクト２２の送風方向Ａがダクト２２の上面２３に対して鋭角を成している。つまり、ファン４１は、その送風方向Ａとダクト２２の上面２３との成す角度をθとすると、角度θが０°を越え９０°未満となるよう更に望ましくは角度θが１０°以上５０°以下になるよう取り付けられている。ここで、ファン４１の送風方向Ａは、吹き出し口４１ａに沿って吹き出し口４１ａを規定した面Ｂに対して直交する方向である。なお、吹き出し口４１ａを規定した面Ｂをダクト２２の上面２３に対して垂直とした状態（すなわち、ファン４１の送風方向Ａが上面２３に対して平行となった状態）を基準とした場合、ファン４１はその基準状態から矢印Ｒの反対向きに角度を付けた状態でダクト２２に取り付けられている。また、ファン４１の吸い込み口４１ｅは上を指向している。
【００３４】
ダクト２２内においてファン４１の吹き出し口４１ａに相対する位置には、電熱器といったヒータ４２が配置されており、ファン４１からダクト２２内に吹き出された気体がヒータ４２によって加熱されるようになっている。特に、ヒータ４２は、ダクト２２内においてエア導入口２４ａの近傍に設けられている。ファン４１の吸い込み口４１ｅに相対する位置にヒータが配置されていても良い。
【００３５】
なお、ファン４１は１つだけ設けられていても良いし、複数個のファン４１がダクト２２の右側において印画紙９９の搬送方向に沿って配列されていても良い。また、ファン４１を貫流式ファンとしたが、シロッコファンといった遠心式ファンとしても良い。シロッコファンの場合でも、ケースに形成された吹き出し口はエア導入口２４ａに向き合い、ケース内に収納された多翼羽根車は印画紙９９の搬送方向に平行な軸回りに回転するようになっているが、ケースに形成された吸い込み口は印画紙９９の搬送方向上流又は下流に向いている。勿論、シロッコファンの場合でも、その送風方向とダクト２２の上面２３との成す角度をθとすると、角度θが０°を越え９０°未満となるよう更に望ましくは角度θが１０°以上５０°以下になるよう取り付けられている。
【００３６】
自動写真処理装置１及び乾燥装置１１の動作について説明する。
【００３７】
ホストコンピュータ４がデジタル画像データを感光材料処理機５に出力し、感光材料処理機５に画像形成を行わせると、感光材料処理機５の各ローラ対が作動し、マガジン部８に収納された印画紙が露光処理部９、現像処理部１０、乾燥装置１１、切断部１２、トレー部１３の順に経由して搬送される。
【００３８】
露光処理部９においては、印画紙がデジタル画像データに従った露光量で露光される。現像処理部１０においては、印画紙が各種の処理液に順次浸漬されることによって印画紙の潜像が顕在化する。乾燥装置１１においては、現像処理部１０で現像処理された印画紙が取込口から乾燥ボックス２１内に取り込まれる。乾燥ボックス２１内に取り込まれた印画紙は、ローラ対によってダクト２２の上面２３に対向するようダクト２２の上を通過して排出口へ搬送され、排出口から排出される。
【００３９】
ここで、乾燥装置１１においては、ヒータ４２に電圧が印加されることによってヒータ４２が発熱する。そして、ファン４１が作動してモータにより多翼羽根車４１ｃが回転すると、気体がファン４１の吸い込み口４１ｅに吸い込まれ、ファン４１の吹き出し口４１ａからダクト２２内へ吹き出て、吹き出た気体がヒータ４２によって温められる。ファン４１の動作によって、ダクト２２内で印画紙９９の幅方向右から左に向かった気流が発生し、ダクト２２の上面２３の貫通孔から印画紙９９に向けて気体が吹き出る。これにより、印画紙９９が乾燥する。また、ダクト２２から吹き出た気体はファン４１内に吸い込まれるので、乾燥ボックス２１内で発生した気流が循環する。
【００４０】
以上のように、ファン４１の送風方向Ａがダクト２２の上面２３に対して鋭角を成した状態でファン４１が取り付けられているから、ファン４１の回転速度を上げなくとも、上面２３の貫通孔から吹き出る乾燥風の風速を高めることができる。そのため、印画紙９９を効率よく乾燥させることができる。
【００４１】
なお、本発明は、上記実施の形態に限定されることなく、本発明の趣旨を逸脱しない範囲において、種々の改良並びに設計の変更を行っても良い。
【００４２】
図４に示される乾燥装置１１１は、上記乾燥装置１１の変形例であり、乾燥装置１１に代えて自動写真処理装置１に設けられているものである。図４に示すように、下面２６に対して傾斜した複数の傾斜面３１〜３３をダクト２２内内の下面２６に設けても良い。傾斜面３１〜３３は何れも、下面２６からの高さが右から左に向かって高くなるよう傾斜している。傾斜面３１〜３３のうち傾斜面３１がファン４１に最も近く、傾斜面３２が二番目にファン４１に近く、傾斜面３３がファン４１から最も遠くなるよう、傾斜面３１〜３３が配列されている。傾斜面３１〜３３は、下面２６から頂上までの高さの高い順に右から左へ配列されている。つまり、傾斜面３１〜３３のうち、下面２６から頂上までの高さは、傾斜面３１が最も高く、傾斜面３２が二番目に高く、傾斜面３３が最も低い。
【００４３】
更に、傾斜面３１と傾斜面３２との間に、下面２６に対して傾斜した傾斜面３４を設け、傾斜面３２と傾斜面３３との間に、下面２６に対して傾斜した傾斜面３５を設け、傾斜面３３と左側面２５との間に、下面２６に対して傾斜した傾斜面３６を設けても良い。傾斜面３４〜３６は何れも、下面２６からの高さが右から左に向かって低くなるよう傾斜しており、傾斜面３４と傾斜面３１が頂上において接し、傾斜面３５と傾斜面３２が頂上において接し、傾斜面３６と傾斜面３３が頂上において接している。なお、乾燥装置１１１については、乾燥装置１１の何れかの部分と同様の構成要素に同一の符号を付してその詳細な説明を省略する。
【００４４】
また、上記実施形態では、ダクト２２とファン４１とからなるユニットを一組だけ設けた場合について説明したが、このようなユニットが印画紙９９の搬送方向に沿って複数組配列しても良いし、このようなユニットを印画紙９９に関して面対称となるように二組設けても良い。
【実施例１】
【００４５】
以下に、実施例を挙げることにより、本発明をさらに具体的に説明する。
【００４６】
上記乾燥装置１１１を図５に示すような寸法で準備した。図５は乾燥装置１１１の内部を具体的な寸法とともに主に示した図面であり、図５（ａ）は平面図であり、図５（ｂ）は正面図である。乾燥ボックス２１の幅を６４０ｍｍとし、奥行きを５００ｍｍとし、高さを１７０ｍｍとした。また、幅５３２ｍｍ×奥行き５００ｍｍの平板２２３を乾燥ボックス２１の下面と平行となるようから高さ４０ｍｍの箇所に設けることにより、平板２２３を上面２３としたダクト２２を設けた。また、平板２２３を乾燥ボックス２１の左側面に接することで、ダクト２２の左側面２５と乾燥ボックス２１の左側面を共通の壁面とし、ダクト２２の下面２６と乾燥ボックス２１の下面を共通の壁面とした。ここで、平板２２３には、直径６ｍｍの貫通孔２３ｂを奥行き方向に２６個、幅方向に２０個配列させるよう形成した。貫通孔２３ｂは、奥行き方向の間隔も幅方向の間隔も１８ｍｍとした。ファン４１を乾燥ボックス２１内の右側に設置した。ファン４１として、クロスフローファン（オリエンタルモーター（株）製、型番ＭＦＤ９３０Ｂ−２４）を用いた。ダクト２２内に、傾斜面３１と傾斜面３４とからなる山形の突条（乾燥ボックス２１の下面からの高さ１５ｍｍ、幅１１４ｍｍ）と、傾斜面３２と傾斜面３２と傾斜面３５とからなる山形の突条（乾燥ボックス２１の下面からの高さ１０ｍｍ、幅１１４ｍｍ）と、傾斜面３３と傾斜面３６とからなる山形の突条（乾燥ボックス２１の下面からの高さ５ｍｍ、幅１１４ｍｍ）と、を設けた。
【００４７】
図５に示された乾燥装置１１１について、ファン４１の送風方向Ａと上面２３との成す角度θを変化させて、Ａ，Ｂ，Ｃの位置にある貫通孔２３ｂから吹き出る気流の風速の平均を求め、角度θと風速との関係を求めた。ここで、Ａ，Ｂ，Ｃの何れの位置の貫通孔２３ｂも手前から１３列目にあり、Ａの位置の貫通孔２３ｂはファン４１側から１列目であり、Ｂの位置の貫通孔２３ｂはファン４１側から１１列目にあり、Ｃの位置の貫通孔２３ｂはファン４１側から２０列目にある。また、気流の風速の測定には、ＫＡＮＯＭＡＸ社製の風速計（ＣＬＩＭＯＭＡＳＴＥＲ、型番ＭＯＤＥＬ６５１１）を用いた。
【００４８】
その結果を図６のグラフに示す。図６から明らかなように、ファン４１の取り付け角度θが０°を越えると、Ａ，Ｂ，Ｃの三箇所の平均風速が向上する。特に、角度θが１０°以上５０°以下の場合、平均風速が特に向上する。
【図面の簡単な説明】
【００４９】
【図１】自動写真処理装置１の斜視図である。
【図２】自動写真処理装置１に備わる乾燥装置１１を一部破断した正面図である。
【図３】ダクト２２の上面２３の平面図である。
【図４】上記乾燥装置１１とは別例の乾燥装置１１１を一部破断した正面図である。
【図５】実施例として乾燥装置１１１の具体的寸法を示した平面図及び正面図である。
【図６】図５の乾燥装置１１１を用いた風速の測定結果を示したグラフである。
【符号の説明】
【００５０】
１１，１１１  乾燥装置
２２  ダクト
２３  上面（対向面）
２３ａ，２３ｂ，２３ｃ  貫通孔
４１  ファン
４１ａ  吹き出し口
４１ｂ  ケース
４１ｃ  多翼羽根車
９９  印画紙（感光性記録媒体）
Ａ  ファンの送風方向
【図１】
2005338248.tif 000003
【図２】
2005338248.tif 000004
【図３】
2005338248.tif 000005
【図４】
2005338248.tif 000006
【図５】
2005338248.tif 000007
【図６】
2005338248.tif 000008